(57)【特許請求の範囲】
【請求項１】
ビットストリームは第１のデータ構造標準の要件を満たすデータ構造を有し、ビットストリームのデータは、第１の主オーバーヘッドデータ（ＶＩＤＥＯ＿ＴＳ）と多数のデータユニット（ＤＶＤ＿Ｖｉｄｅｏ  ＶＯＢＵ，ＤＶＤ＿ＶＲ  ＶＯＢＵ）を含み、各データユニットは、上記第１のデータ構造標準に従う第１のデータユニットオーバーヘッドデータ（ＮＶ＿ＰＣＫ）と、符号化ビデオデータ（Ｖ＿ＰＣＫ）と、符号化若しくは非符号化オーディオデータ（Ａ＿ＰＣＫ）と、を格納している、復号化可能なビットストリームを組み立てる方法であって、
上記ビットストリームは、上記ビットストリームの上記データ構造が上記第１のデータ構造標準とは異なる第２のデータ構造標準の要件を満たすように、第２の主オーバーヘッドデータ（ＤＶＤ＿ＲＴＡＶ）を更に含み、
上記データユニット（ＶＯＢＵ）は、上記第２のデータ構造標準に従う第２のデータユニットオーバーヘッドデータ（ＲＤＩ＿ＰＣＫ）を更に含み、
上記符号化ビデオデータ（Ｖ＿ＰＣＫ）と上記符号化又は非符号化オーディオデータ（Ａ＿ＰＣＫ）は、上記第１のデータ構造標準と上記第２のデータ構造標準に共通である、
方法。
【請求項２】
上記第１のデータ構造標準はＤＶＤ−Ｖｉｄｅｏ標準であり、上記第２のデータ構造標準はＤＶＤ−ＶＲ標準である、請求項１記載の方法。
【請求項３】
上記データユニット（ＤＶＤ＿Ｖｉｄｅｏ  ＶＯＢＵ，ＤＶＤ＿ＶＲ  ＶＯＢＵ）は、上記第１のデータ構造標準と上記第２のデータ構造標準に共通したサブピクチャーデータ（ＳＰ＿ＰＣＫ）を更に含み、
サブピクチャーデータは、上記第１のデータ構造標準又は上記第２のデータ構造標準に基づいて動作する何れか一つの装置で評価され処理され得る、
請求項１又は２記載の方法。
【請求項４】
上記データユニット（ＤＶＤ＿Ｖｉｄｅｏ  ＶＯＢＵ，ＤＶＤ＿ＶＲ  ＶＯＢＵ）は、上記第１のデータ構造標準だけに対応した付加的な符号化オーディオデータ及び付加的なサブピクチャーデータを含み、
付加的なデータは、上記第１のデータ構造標準に基づいて動作する装置だけで評価され、復号化若しくは処理され得る、
請求項３記載の方法。
【請求項５】
上記ビットストリームは、共通の上記符号化ビデオデータ（Ｖ＿ＰＣＫ）と共通の上記符号化又は非符号化オーディオデータ（Ａ＿ＰＣＫ）の他に、上記第１のデータ構造標準又は上記第２のデータ構造標準に対応した特定の部分を含み、
この特定の部分へのアクセスは、上記第１の主オーバーヘッドデータ又は上記第２の主オーバーヘッドデータだけによって容易に行われる、
請求項１乃至４のうち何れか一項記載の方法。
【請求項６】
上記ビットストリームは、ＤＶＤ−ＲＡＭディスク、ＤＶＤ−ＲＷディスク、ＤＶＤ＋ＲＷディスク、ＤＶＤ−Ｒディスク又はＤＶＤ−ＲＯＭディスクのような光ディスク（Ｄ）に格納される、請求項１乃至５のうち何れか一項記載の方法。
【請求項７】
請求項１乃至６のうち何れか一項記載の方法によって組み立てられた復号化可能なビットストリームを格納するか、若しくは、記録している光ディスクのような記憶媒体（Ｄ）。
【発明の詳細な説明】
【０００１】
本発明は、２種類のデータ構造標準の要件を満たすデータ構造を有するビットストリームを復号化するための評価方法及び装置と、このようなビットストリームを格納する互換性記憶媒体と、このようなビットストリームを両立するように組み立てる方法と、に関する。
【０００２】
〔背景〕
例えば、再生専用ＤＶＤ−Ｖｉｄｅｏシステムと、再追記型ＤＶＤ−ＶＲシステムのような様々なタイプのＤＶＤ（デジタル多用途ディスク）システムが存在する。ＤＶＤ−Ｖｉｄｅｏ方式は、”再生専用ディスク用ＤＶＤ仕様書(DVD Specification fro Read-Only Disc)”、第３部(Part 3)、ビデオ仕様所(Video Specifications), バージョン1.0、1996年8月に規定されている。ＤＶＤ−ＶＲ方式は、”書換型／追記型ディスク用ＤＶＤ仕様書(DVD Specification for Rewritable/Rerecordable Discs)”、第３部(Part 3)、ビデオレコーディング(Video Recording)、バージョン1.0、1999年9月に規定されている。対応したビットストリームは異なるフォーマットと異なる内容をもつ。
国際公開特許出願第ＷＯ−Ａ−００  ０２１９５号には、ＤＶＤ−Ｖｉｄｅｏ標準及びＤＶＤ−ＲＴＲ標準と互換性のあるＤＶＤが開示されている。コンテンツデータは、別個のディレクトリ及びファイルに記憶される。
欧州公開特許出願第ＥＰ−Ａ−０  ９４４  ０８７号には、オーディオ／ビデオ情報とオーディオ情報を格納するＤＶＤが示され、プレーヤのタイプ毎に、異なるナビゲーション情報が同じ対象に対して記録される。
【０００３】
〔発明〕
ＤＶＤ−ＶＲタイプのビットストリームを格納するＤＶＤ−ＶＲタイプのディスクは、ＤＶＤ−ＶＲタイプのレコーダ又はプレーヤで再生されるべきである。しかし、ＤＶＤ−ＶｉｄｅｏタイプのビットストリームをＤＶＤ−ＶＲタイプのレコーダでＤＶＤ−ＶＲタイプのディスクに記録し、そのディスクをＤＶＤ−Ｖｉｄｅｏタイプのプレーヤで再生することも可能である。
【０００４】
ＤＶＤ−ＶＲのフォーマットとＤＶＤ−Ｖｉｄｅｏのフォーマットは互いに互換性が無く、一方のタイプのビットストリームを格納するディスクは、もう一方のタイプのプレーヤで再生し得ないので、ユーザは、ディスクに記録するビットストリームのタイプを選択しなければならない。この問題に対する一つの解決手法は、ビットストリームのタイプ毎に別個のディスクに記録することである。
【０００５】
本発明によって解決されるべき課題は、どちらのタイプのビットストリームを記録すべきであるかに関する決定からユーザを解放するため、要求された処理を簡単化することである。この課題は、請求項１に記載された発明によって解決される。この方法を利用する装置は請求項７に記載されている。対応したビットストリームを格納する記憶媒体は請求項１１に記載されている。
【０００６】
本発明によれば、特別のタイプのビットストリームが組み立てられ、両方のタイプのプレーヤで再生可能なディスクに記録される。この特別のタイプのビットストリームは、ＤＶＤ−Ｖｉｄｅｏシステム並びにＤＶＤ−ＶＲシステムと互換性がある。このような互換性が得られる理由は、データパックのヘッダに、パックのペイロードに格納されたデータのタイプに関する情報が収容されるからである。特別のタイプのプレーヤのため使用できない、又は、特別のタイプのプレーヤが認識できないデータタイプは、そのタイプのプレーヤによって評価されない。両方のシステムに対し、対応した付加ファイルがそれらの専用のディレクトリに追加されるが、両方のシステムタイプに対して得られるビットストリームは、ディスク上で全く同じファイルを表現する。このような新規データ構造を有するビットストリームを格納する媒体は、ＤＶＤ−ＶＲプレーヤとＤＶＤ−Ｖｉｄｅｏプレーヤの両方で再生することができる。第１世代のＤＶＤプレーヤもこのディスクを再生可能である。
【０００７】
原理的に、本発明の方法は、第１のデータ構造標準の要件を満たすデータ構造を有するビットストリームを復号化するための評価に適した方法であって、ビットストリームのデータは、第１の主オーバーヘッドデータユニットと多数のデータユニットを含み、各データユニットは、上記第１のデータ構造標準に従う第１のデータユニットオーバーヘッドデータと、符号化ビデオデータと、符号化若しくは非符号化オーディオデータと、を格納し、
上記ビットストリームは、上記ビットストリームの上記データ構造が上記第１のデータ構造標準とは異なる第２のデータ構造標準の要件を満たすように、第２の主オーバーヘッドデータを更に含み、
上記データユニットは、上記第２のデータ構造標準に従う第２のデータユニットオーバーヘッドデータを更に含み、
上記符号化ビデオデータと上記符号化又は非符号化オーディオデータは、上記第１のデータ構造標準と上記第２のデータ構造標準に共通であり、
上記ビットストリームを上記第１のデータ構造標準に基づいて動作する装置へ入力するとき、上記第２の主オーバーヘッドデータと、上記多数のデータユニットの上記第２のデータユニットオーバーヘッドデータを評価せずに、上記第１の主オーバーヘッドデータと、上記データユニットの上記第１のデータユニットオーバーヘッドデータを評価し、上記符号化ビデオデータを復号化し、上記符号化オーディオデータを復号化するか、又は、上記非符号化オーディオデータを処理し、
或いは、
上記ビットストリームを上記第２のデータ構造標準に基づいて動作する装置へ入力するとき、上記第１の主オーバーヘッドデータと、上記多数のデータユニットの上記第１のデータユニットオーバーヘッドデータを評価せずに、上記第２の主オーバーヘッドデータと、上記データユニットの上記第２のデータユニットオーバーヘッドデータを評価し、上記符号化ビデオデータを復号化し、上記符号化オーディオデータを復号化するか、又は、上記非符号化オーディオデータを処理する。
【０００８】
本発明の方法の有利な更なる実施例は対応した従属請求項に開示されている。
【０００９】
原理的に、本発明の装置は、第１のデータ構造標準の要件を満たすデータ構造を有するビットストリームを復号化するための評価に適した装置であって、ビットストリームのデータは、第１の主オーバーヘッドデータユニットと多数のデータユニットを含み、各データユニットは、上記第１のデータ構造標準に従う第１のデータユニットオーバーヘッドデータと、符号化ビデオデータと、符号化若しくは非符号化オーディオデータと、を格納し、当該装置は上記第１のデータ構造標準に基づいて動作し、
上記ビットストリームは、上記ビットストリームの上記データ構造が上記第１のデータ構造標準とは異なる第２のデータ構造標準の要件を満たすように、第２の主オーバーヘッドデータを更に含み、
上記データユニットは、上記第２のデータ構造標準に従う第２のデータユニットオーバーヘッドデータを更に含み、
上記符号化ビデオデータと上記符号化又は非符号化オーディオデータは、上記第１のデータ構造標準と上記第２のデータ構造標準に共通であり、
当該装置は、
上記ビットストリームを入力する手段と、
上記第２の主オーバーヘッドデータと、上記多数のデータユニットの上記第２のデータユニットオーバーヘッドデータを評価せずに、上記第１の主オーバーヘッドデータと、上記データユニットの上記第１のデータユニットオーバーヘッドデータを評価し、上記符号化ビデオデータを復号化し、上記符号化オーディオデータを復号化するか、又は、上記非符号化オーディオデータを処理する手段と、を具備する。
【００１０】
第１のデータ構造標準はＤＶＤ−Ｖｉｄｅｏ標準であり、第２のデータ構造標準はＤＶＤ−ＶＲ標準である場合と、第１のデータ構造標準がＤＶＤ−ＶＲ標準であり、第２のデータ構造標準はＤＶＤ−Ｖｉｄｅｏ標準である場合のどちらでもよい。
【００１１】
本発明の装置の有利な更なる実施例は対応した従属請求項に開示されている。
【００１２】
〔実施例の説明〕
以下、添付図面を参照して本発明の実施例を説明する。
【００１３】
図１に示されるように、リードイン(Lead_in)及びファイルシステムデータ(File_Systems_Data)の後に、ＤＶＤ−Ｖｉｄｅｏ用のVIDEO_TSとＤＶＤ−ＶＲ用のDVD_RTAVの二つの付加ディレクトリがＤＶＤ−ＶＲルートディレクトリ／ＤＶＤ−Ｖｉｄｅｏルートディレクトリに挿入される。
【００１４】
二つのシステムに対して必要な全てのファイル、即ち、ＤＶＤ−ＶＲ用のVR_MAGR.INFO、VR_MAGR.BUP及びVR_AUDIO.VROと、ＤＶＤ−Ｖｉｄｅｏ用のVIDEO_TS.IFO、VIDEO_TS.BUP、及び、可能であればVIDEO_TS.VOBとが生成される。
【００１５】
しかし、ＤＶＤ−Ｖｉｄｅｏシステム用のファイルVTS_xx_y.VOBと、ＤＶＤ−ＶＲ用のファイルVR_MOVIE.VRO及びVR_STILL.VROとによって記述されたカーネルＡＶストリーム（オーディオ／ビデオストリーム）は、同じビットストリームであり、即ち、物理的にＤＶＤ−ＶｉｄｅｏのビットストリームとＤＶＤ−ＶＲのビットストリームは、１個のストリームである。
【００１６】
このような特徴を得るために、ビットストリームは特別の特性を備えることが必要である。一部の特性は必須事項であり、他の特性は任意事項である。
【００１７】
図２に示されるように対応するビットストリーム構造は、ＤＶＤ−Ｖｉｄｅｏ及びＤＶＤ−ＶＲの互換性に関して最適化されている。図２に示されるように、ＤＶＤ−ＶＲビデオオブジェクトユニット（ＶＯＢＵ）は、ＤＶＤ−Ｖｉｄｅｏビデオオブジェクトユニットに対してオフセットさせられ、ＤＶＤ−Ｖｉｄｅｏビデオオブジェクトユニットは、ナビゲーションパックNV_PCKから始まり、ＤＶＤ−ＶＲビデオオブジェクトユニットは、次のＤＶＤ−Ｖｉｄｅｏビデオオブジェクトユニットの始まりを表現するナビゲーションパックNV_PCKで終了する。
【００１８】
ナビゲーションパックNV_PCKの後には、実時間データ情報パックRDI_PCKと、数個のビデオパックV_PCKと、数個のサブピクチャーパックSP_PCKと、数個のオーディオパックA_PCKとが続く。NV_PCKはＤＶＤ−Ｖｉｄｅｏだけによって使用され、RDI_PCKはＤＶＤ−ＶＲだけによって使用され、V_PCK、SP_PCK、及び、A_PCKは、ＤＶＤ−ＶｉｄｅｏとＤＶＤ−ＶＲによって共用される。
【００１９】
必須特性は以下の通りである。
【００２０】
ａ）ナビゲーションパックNV_PCKは、ＤＶＤ−Ｖｉｄｅｏ標準、第３部、第２．４．４７章、第４．６章及び第５．２．２章に従って、ストリーム内で各VOBUの先頭を指示しなければならない。
【００２１】
ｂ）実時間データ情報パックRDI_PCKは、ＤＶＤ−ＶＲ標準、第３部、第２．４章及び第５．４．４章に従って、ストリーム内で各VOBUの先頭を指示しなければならない。
【００２２】
ｃ）ＭＰＥＧビデオストリームは、水平サイズの値として、ＤＶＤ−Ｖｉｄｅｏ及びＤＶＤ−ＶＲに対して許可されるような値７２０、７０４及び３５２だけをとり、ＤＶＤ−ＶＲだけで許可される値４８０及び５４４をとらない。ＤＶＤ−Ｖｉｄｅｏ標準、第３部、第５．４．１．２章と、ＤＶＤ−ＶＲ標準、第３部、第５．５．１．２章を参照のこと。
【００２３】
ｄ）オーディオストリームが静止画像（例えば、メニュー）に対しＤＶＤ−ＶＲの下で許可されるべき場合、このオーディオストリームのストリーム番号は’１’でなければならない。オーディオストリームが通常ビデオ（即ち、静止画像ではない）に対してＤＶＤ−ＶＲの下で許可されるべき場合、このオーディオストリームは、ＤＶＤ−ＶＲとの互換性を保つため、ストリーム番号’０’をとらなければならない。ＤＶＤ−Ｖｉｄｅｏ標準、第３部、第５．２．４章と、ＤＶＤ−ＶＲ標準、第３部、第５．３．３章を参照のこと。
【００２４】
ｅ）線形オーディオストリーム（ＰＣＭストリーム）’０’及び’１’の場合、ＤＶＤ−ＶＲとの互換性を保つためだけに、量子化ワード長quantisation_word_length = 00b （１６ビット）が使用されるべきである。ＤＶＤ−Ｖｉｄｅｏ標準、第３部、表５．２．４−１、注８と、ＤＶＤ−ＶＲ標準、第３部、表５．３．３−１、注８を参照のこと。
【００２５】
ｆ）線形オーディオストリーム（ＰＣＭストリーム）’０’及び’１’の場合、ＤＶＤ−ＶＲとの互換性を保つためだけに、オーディオサンプリング周波数audio_sampling_frequency = 00b  （４８ｋＨｚ）が使用されるべきである。ＤＶＤ−Ｖｉｄｅｏ標準、第３部、表５．２．４−１、注９と、ＤＶＤ−ＶＲ標準、第３部、表５．３．３−１、注９を参照のこと。
【００２６】
ｇ）ＤＶＤ−Ｖｉｄｅｏ及びＤＶＤ−ＶＲに対して、線形オーディオ用のストリーム’０’及び’１’を共用できるようにするため、オーディオチャネル数number_of_audio_channelsの値として、値0000b（モノラル）と値0001b（ステレオ）だけが使用される。ＤＶＤ−Ｖｉｄｅｏ標準、第３部、表５．２．４−１、注１０と、ＤＶＤ−ＶＲ標準、第３部、表５．３．３−１、注１０を参照のこと。或いは、ＤＶＤ−Ｖｉｄｅｏに対し、’１’よりも大きいストリーム番号を有するＰＣＭオーディオストリームだけが使用される場合、線形オーディオストリーム’０’又は’１’のオーディオチャネル数number_of_audio_channelsとして値1001b（デュアルモノラル）を使用することが可能である。
【００２７】
ｈ）サブピクチャーストリームを、ＤＶＤ−ＶＲ並びにＤＶＤ−Ｖｉｄｅｏの下で取り扱うべき場合、このサブピクチャーストリームの値は、ＤＶＤ−ＶＲとの互換性を保つためにストリーム番号’０’をとる必要がある。ＤＶＤ−Ｖｉｄｅｏ標準、第３部、第５．２．５章と、ＤＶＤ−ＶＲ標準、第３部、第５．３．４章を参照のこと。
【００２８】
ａ）及びｂ）から分かるように、ＤＶＤ−ＶＲのＶＯＢＵと同じセクタで始まるＤＶＤ−ＶｉｄｅｏのＶＯＢＵは存在しない。このことは、ＤＶＤ−ＶＲの各ＶＯＢＵについても成り立つ。その上、既に説明したように、ストリームには、ＤＶＤ−Ｖｉｄｅｏシステムだけから使用されるセクタNV_PCKが存在し、ＤＶＤ−ＶＲシステムだけから使用されるセクタRDI_PCKが存在する。
【００２９】
任意的な特性は以下の通りである。
【００３０】
Ａ）ストリーム番号が１よりも大きいオーディオストリームを使用する。このようなオーディオストリームは、ＤＶＤ−Ｖｉｄｅｏプレーヤだけによって復号化されるので、ＤＶＤ−Ｖｉｄｅｏ標準仕様と完全に一致する。即ち、ＤＶＤ−ＶＲ要件によって許可される機能に制限は無い。
【００３１】
Ｂ）ストリーム番号が１よりも大きいサブピクチャーを使用する。ストリーム番号が０よりも大きいサブピクチャーストリームは、ＤＶＤ−Ｖｉｄｅｏ標準だけに従って復号化され得る。
【００３２】
Ｃ）ストリーム番号が１よりも大きいオーディオストリームを使用する。２個以上のオーディオストリームが存在し得る。しかし、オーディオストリーム番号’０’及び’１’は、ＤＶＤ−ＶＲとの競合を回避するため、ＤＶＤ−ＶＲのＶＯＢＵに同時に存在してはならない。
【００３３】
Ｄ）ストリーム番号が１よりも大きい線形オーディオ（ＰＣＭ）ストリームの場合、量子化ワード数quantaisation_word_length、オーディオサンプリング周波数audio_sampling_frequency、及び、オーディオチャネル数number_of_audio_channelsのパラメータは、ＤＶＤ−Ｖｉｄｅｏ標準に規定された全ての実現可能な値に対応する。ＤＶＤ−ＶＲ要件のために許可される値に制限は生じない。
【００３４】
Ｅ）ストリーム番号が１よりも大きいオーディオストリームの場合、ＤＶＤ−Ｖｉｄｅｏ標準によってサポートされた全てのオーディオフォーマット、例えば、ＤＴＳ符号化フォーマットが許容される。ＤＶＤ−ＶＲ要件に起因する制限は無い。
【００３５】
Ｆ）ＭＰＥＧビデオストリームは、対応したビデオパックがＤＶＤ−ＶｉｄｅｏのＶＯＢＵによって使用されず、ＤＶＤ−ＶＲのＶＯＢＵだけによって使用される場合、水平サイズhorizontal_sizeの値として、ＤＶＤ−ＶＲに対して許可されるような値４８０及び５４４をとる。ＤＶＤ−Ｖｉｄｅｏ仕様書、第３部、第５．４．１．２章と、ＤＶＤ−ＶＲ仕様書、第３部、第５．５．１．２章を参照のこと。
【００３６】
Ｇ）ビデオストリームのピクチャーレイヤ内のユーザデータuser_data()フィールドにおいて、ＤＶＤ−ＶＲ仕様に対応したテレテキスト情報は制限される。このようなユーザデータフィールドは、例えば、サブピクチャー情報を収容することが可能であり、サブピクチャー情報の内容は、第２のピクチャーストリームの内容と同一である。
【００３７】
図３に示されているビットストリーム構造は、図２に示されたビットストリーム構造よりも複雑である。ＶＯＢＵ内には、更なるストリーム番号’１’乃至’４’が割り当てられた数個の付加サブピクチャーパックとオーディオパックが存在する。しかし、ストリーム番号’０’に割り当てられたサブピクチャー及びオーディオパックだけがＤＶＤ−ＶＲ装置によって使用される。この特別のビットストリーム構造は、ＤＶＤ−ＶＲに対して下位互換性であるが、ＤＶＤ−ＶｉｄｅｏとＤＶＤ−ＶＲの特別の機能を重視する。
【００３８】
本発明の更なる実施例によれば、カーネルＡＶストリームは、ＤＶＤ−ＶＲとＤＶＤ−Ｖｉｄｅｏに共通した上述の部分の他に、ＤＶＤ−ＶＲとＤＶＤ−Ｖｉｄｅｏだけによって使用される特別の部分を含む。この特別の部分へのアクセスは、対応したルートディレクトリ、即ち、上記第１の主オーバーヘッドデータ又は第２の主オーバーヘッドデータによって容易に行われる。
【００３９】
図４は光ディスクＤを示す図である。光ディスクＤは、モータＭによって駆動され、データは光ディスクからピックアップＰを用いて読み出される。これらのデータは、例えば、増幅及び誤り訂正後に、入力ＤＭＡ（直接メモリアクセス）コントローラＩＤＭＡを介して、条件付きの形式でトラックバッファＴＢへ供給される。データは、瞬時データレート変動又は短期データレート変動を補償するためバッファＴＢに保存される。バッファに保存されたデータストリームの中の対応した部分データストリームは、トラックバッファＴＢから関連したデコーダ、即ち、ＭＰＥＧビデオデータ用のビデオデコーダＶＩＤと、ＭＰＥＧ若しくはＡＣ３オーディオデータ用のオーディオデコーダＡＵＤと、サブピクチャーデータ用のサブピクチャーデコーダへ毎回再コピーされる。このようなデコーダは、特定の時点に特定の順序で特定のデータにアクセスするため、専用ビットバッファを必要とする。したがって、データデコーダ用のデータは、入力データストリームとはできるだけ異なる組合せ及び／又は順序で、出力データストリームにおいて利用可能でなければならない。これまでの装置アーキテクチャは、単一の一貫したメモリ領域により構成されたデコーダビットバッファを必要とするので、トラックバッファに最初に保存されたデータは、要求された時点並びに要求された順序で、出力ＤＭＡコントローラＯＤＭＡを用いて、各デコーダのためのビットバッファへ再コピーされる。入力ＤＭＡコントローラＩＤＭＡ、出力ＤＭＡコントローラＯＤＭＡ，及び、その他の段階は、コマンドプロセッサμＰ、若しくは、別個のプロセッサによって制御され得る。ＤＶＤ−ＶＲ方式プレーヤの場合、サブピクチャーデコーダは、テレテキストデコーダで置換してもよい。ＤＶＤ−ＶＲ方式レコーダは、対応したビデオ、オーディオ、及び、テレテキストエンコーダと、符号化ビットストリームをディスクＤへ書き込む手段と、を更に具備する。
【００４０】
ビットストリームは、例えば、ＤＶＤ−ＲＡＭ、ＤＶＤ−ＲＷ、ＤＶＤ＋ＲＷ、ＤＶＤ−Ｒ、又は、ＤＶＤ−ＲＯＭディスクに格納され、対応したフォーマットをとり得る。
【００４１】
ＤＶＤディスクの代わりに、他の記憶媒体を使用しても構わない。本発明のデータ構造に従うビットストリームを送信機から受信機へ送信し、受信機側で一方のＤＶＤシステムのタイプ又はもう一方のＤＶＤシステムのタイプに応じて受信ビットストリームを復号化することも可能である。
【００４２】
更なる特徴は、両方のＤＶＤシステムのタイプに応じてこのような受信ビットストリーム若しくは再生ビットストリームを復号化し、ＤＶＤ−Ｖｉｄｅｏフォーマットの特定の特徴、例えば、最大で３２個のサブピクチャーを収容するＤＶＤ−Ｖｉｄｅｏフォーマットの特徴を、例えば、テレテキストのようなＤＶＤ−ＶＲフォーマットの特定の特徴と併せて使用することである。
【図面の簡単な説明】
【図１】  ＤＶＤ−Ｖｉｄｅｏデータ及びＤＶＤ−ＶＲデータを記憶するＤＶＤ−ＶＲディスク用の本発明によるデータ構造の説明図である。
【図２】  図１に示されたディスク上のビットストリーム構造の説明図である。
【図３】  図１に示されたディスクのための別のビットストリーム構造の説明図である。
【図４】  ＤＶＤ−Ｖｉｄｅｏ方式又はＤＶＤ−ＶＲ方式のプレーヤの略構成図である。
【図１】
0004642320.tif 000002
【図２】
0004642320.tif 000003
【図３】
0004642320.tif 000004
【図４】
0004642320.tif 000005